(57)【特許請求の範囲】
【請求項１】
開閉用のツイスト＆プッシュ移動による可変な長さを有する多角形スライディングパッケージングであって、互いの中にスライドさせることにより相互に結合している２つの中空体を含み、一方の中空体上に供給される少なくとも１つのラッチノッチを有する少なくとも１つの第１ノッチ列と、他方の中空体上に配置される少なくとも１つの第２ノッチ列とを有し、その第２ノッチ列は少なくとも１つのラッチノッチによって第１ノッチ列に割り当てられるラッチ構成を含み、それら中空体が互いの中にスライドするとき、その接触するノッチエッジをラッチノッチに割り当てて連結し一緒にラッチし、そこでは、２つの中空体を分離するため、接触するノッチ列は、２つの中空体をその長手軸の周りに互いに対向してツイストすることにより、外すことができ、そこでは、少なくとも１つのスライドウェイが一方の中空体上であって少なくとも１つのラッチノッチが形成される少なくとも１つのラッチウェイから或る距離で周囲方向に配置され、反対の中空体に配置された少なくとも１つのラッチウェイ又は少なくとも１つのラッチノッチが連結され、移動方向にスライドされることができ、反対の中空体が、一方の中空体に配置されたラッチウェイからスライドウェイに移動する前後で、一方の中空体の側壁に接触していなかった反対の中空体の側壁が、一方の中空体の側壁に接触する、ように反対の中空体の輪郭形状が形成される、多角形スライディングパッケージング。
【請求項２】
単一のノッチだけが外側の中空体である外側スリーブ上に供給され、又は、任意的に複数のノッチが一列になってノッチ列を形成する、請求項１記載のスライディングパッケージング。
【請求項３】
前記少なくとも１つのスライドウェイは前記中空体の少なくとも１つのコーナー上に配置される、請求項１又は２に記載のスライディングパッケージング。
【請求項４】
前記少なくとも１つのスライドウェイは、前記中空体の壁の領域にあるコーナーの外側に、前記中空体の少なくとも１つの表面上に配置される、請求項１乃至３の何れか１つに記載のスライディングパッケージング。
【請求項５】
前記スライドウェイのラッチウェイの移行において、互いに離れて前記中空体をツイストする間、弾性トルク抵抗が克服されるようになる、請求項１乃至４の何れか１つに記載のスライディングパッケージング。
【請求項６】
一方の中空体のスリーブ部分上の前記スライドウェイと前記ラッチウェイとの間の移行領域において、半径方向内側に突出する変形エッジが供給され、スライドのラッチポイントから、他方の中空体上のスリーブ部分上に配置される前記ラッチウェイがツイストされると、この変形エッジの表面上に接触し、それを僅かに変形させる、請求項１乃至５の何れか１つに記載のスライディングパッケージング。
【請求項７】
前記中空体の輪郭の間に空間が存在し、互いの中に挿入される、請求項１乃至６の何れか１つに記載のスライディングパッケージング。
【請求項８】
前記内側スリーブの輪郭は前記外側スリーブの輪郭と異なる、請求項１乃至７の何れか１つに記載のスライディングパッケージング。
【請求項９】
前記２つの中空体をツイストする間、空間が前記内側スリーブの内壁と前記外側スリーブの外壁との間に生じる、請求項１乃至８の何れか１つに記載のスライディングパッケージング。
【請求項１０】
半オープンの中空が反対面上に供給され、コネクションアダプタとして設計され、その反対面上には、少なくとも１つのラッチウェイと少なくとも１つのスライドウェイが配置され、対応する中空体とのツイスト＆プッシュのロックに使用される、請求項１乃至９の何れか１つに記載のスライディングパッケージング。
【発明の詳細な説明】
【技術分野】
【０００１】
本発明の目的は、互いに配置された２つのパッケージングスリーブを開閉するための、ツイスト＆プッシュ移動による多角形スライディングパッケージングを供給することである。
【背景技術】
【０００２】
スライディングパッケージングは２つの中空体を含み、夫々の中空体は一方の面上でクローズドであり、他方の面上でオープンであり、それらを互いの中にスライドさせることにより互いに結合することができ、一方の中空体上に少なくとも１つのラッチノッチを含み供給される少なくとも１つの第１ノッチ列と、すくなくとも１つのラッチノッチを含み第１ノッチ列に割り当てられた他の中空体上に配置された少なくとも１つの第２ノッチ列と、を含むラッチ構成を有し、中空体が互いの中にスライドするとき、インターロック（連結）し、割り当てられたタッチングノッチエッジによりラッチノッチにラッチし、その２つの中空体を分離するため、その２つの中空体を長手方向軸に関して互いに反対にツイストすることにより、接触しているノッチ列は外れる。
【０００３】
そうした先行技術はＤＥ４４０６９３２Ｃ２（特許文献１）によって部分的に知られている。このパッケージング容器には、可変的な長さが供給され、そうして、ラッチウェイが外側スリーブのコーナー上に配置され、ラッチノッチ列を有し、加えて、スライディングの方向にノッチ列が反対の外側スリーブのコーナー上に順に供給され、ラッチウェイを形成する。
【０００４】
ＤＥ４４０６９３２Ｃ２（特許文献１）では、内側スリーブのラッチウェイのコーナーは、外側スリーブのラッチウェイのコーナーに取り付けられ、そして、その２つの部分は、それらを互いの中に単にスライドさせることにより互いに結合され得る。そのラッチング配置は、内側スリーブのラッチウェイが外側スリーブのラッチウェイ上でスライドされオープンする。
【０００５】
２つのラッチウェイが直接連結（インターロッキング）により一緒にロックされた後、プッシュ又はプルにより影響を受けるラッチング移動は、比較的困難であり、そして、より大きなプッシュ力又は逆開放力で実現されるのみである。このため、上述のＤＥ４４０６９３２Ｃ２（特許文献１）は、開放及び閉鎖位置を実現するため、内側及び外側スリーブは互いに対してツイストされ得ることを提案する。
【０００６】
オープン（開放）及びクローズ（閉鎖）位置では、例えば、内側スリーブのラッチウェイは、コーナーサイドに配置された外側スリーブのラッチウェイから離れている。このオープン及びクローズ位置では、その２つの部分は互いに対向して少しスライドすることができ、互いに対して任意の長さに設定されることができ、そして、中空体の新しい相互ツイストによって、そのラッチウェイは再び係合する。
【先行技術文献】
【特許文献】
【０００７】
【特許文献１】ＤＥ４４０６９３２Ｃ２
【発明の概要】
【発明が解決しようとする課題】
【０００８】
そうしたパッケージング容器は広く実績がある。しかし、その既知のパッケージング容器の不利な点は、ロック位置から開放位置までの移行が外側スリーブの壁の変形によって生じるのみであり、その壁によって柔軟に半径方向外側に変形しなければならず、外側スリーブの内側に沿ってスライドされる内側スリーブのラッチウェイのために間隔を許容する。従って、２つの部分を互いに対向してツイストするには高いトルクが必要であり、外側スリーブの容器壁は外側に柔軟に動かなければならない。そうした増大したトルクは望ましくない。
【０００９】
加えて、既知のパッケージングスリーブの他の不利な点は、少なくとも外側スリーブの材料が柔軟に曲がるように設計される場合にだけ、全体のラッチが動作することである。比較的硬いプラスチック材料、又は、高い変形性を有しない、例えば木、ダンボール、紙、金属、及び、同様の材料などの他の材料を用いて、ＤＥ４４０６９３２Ｃ２（特許文献１）に従った既知のラッチは、外側スリーブの柔軟性が必要とされる寸法内に存在しないので、動作しない。
【００１０】
従って、ＤＥ４４０６９３２Ｃ２（特許文献１）に基づいて、本発明の目的は、可能な限り小さいスライド力を用いて、外側スリーブと内側スリーブとの間のツイスト及びプッシュ、又は、プル移動によってスライド位置が影響を受けることを可能にすることであり、柔軟でない素材が外側スリーブに使用されるときに、より少ない力を用いて、ロック位置とオープン位置との間の移行が成功することができる。
【課題を解決するための手段】
【００１１】
上述の目的を実現するため、本発明は請求項１の技術的説明によって特徴付けられる。
【００１２】
本発明の一特徴は、移動の方向に外側スリーブと内側スリーブの連結面上に、少なくとも１つのラッチウェイがその一部に配置され、その移動の方向へ長手方向に整列し、そして、少なくとも１つのラッチノッチが他の部分上に存在し、このラッチウェイと連結することができ、そして、加えて、少なくとも１つのスライドウェイはそのラッチウェイに対して或る距離で円周方向に配置され、反対部分のラッチウェイは連結されることができ、移動の方向に自由にスライドされることができる。
【００１３】
従って、本発明では、少なくとも１つのスライドウェイが、ラッチウェイまでの或る半径距離（即ち、円周の周りに）で配置され、一方の部分及び他方の部分への長手方向に及び、そして、或る部分上のラッチウェイはその２つの部分の間でツイストすることによりツイストされることができ、そうして、一方の部分上のラッチウェイは他方の部分上のスライドウェイと連結する。
【００１４】
ＤＥ４４０６９３２Ｃ２（特許文献１）の先行技術ではスライドウェイが供給されていないので、少なくとも１つのスライドウェイの存在は、先行技術との実質的な差異である。ここで意図するのは、内側を向く外側スリーブとのコーナーサイド上に配置されるラッチウェイは、外側を向くラッチノッチを有し、その２つの部分がツイストされると、内側スリーブの外側上に配置されるラッチノッチは外側スリーブの壁に寄りかかり、これを柔軟に変形するということである。このツイスト及び次のプル又はプッシュ移動によって、ラッチはパッケージングスリーブの反対側でラッチウェイと離れた部分のうえでノッチする。
【００１５】
本発明のスライドウェイは中空体の中に存在するので、本発明の後はこのことはもう必要ではなく、そうして、２つの中空体をツイストする間、柔軟な変形はもう必要でない。外側スリーブは、外側スリーブの壁の柔軟性にはもう依存しないので、外側スリーブは柔軟に曲がやすい素材で作られる必要はもうないという有利な点をもたらす。代わりに、１つ又は複数のスライドウェイが、外側スリーブのラッチノッチに隣接して或る距離で配置され、それによって本発明は本質として複数の可能性を請求する：
或る好適な実施形態では、スライドウェイは台形、又は、Ｕ字形状であり、例えば、閉じた溝ベースの溝（グルーブ）によって設計され、中空体の壁に半径方向外側に方向付けられる。
【００１６】
‘スライドウェイ’の語は、反対の部分でスライドウェイとタッチ及びスライドして接触しているパッケージングスリーブの部分上の１つ又は複数のラッチノッチに限定されない。パッケージングスリーブの一方の部分上の１つ又は複数のラッチノッチは、必ずしもスライドウェイに接触する必要はない。それらは、スライドウェイにわたって接触せずに導入されることもでき、従って、パッケージングスリーブの反対部分上に配置されるラッチノッチのストレートガイドの長手方向ガイド要素として機能する。
【００１７】
‘ラッチノッチ’の語は、簡便な説明のため、この一般的な形態で使用されるが、‘ラッチノッチ’は単一のノッチだけから構成されてもよい。
【００１８】
第１実施形態では、単一のノッチだけが外側スリーブ上に供給され、又は選択的に複数のノッチが順に配置され、一列のノッチが形成されることが意図される。重要な点は、少なくとも１つのスライドウェイが、或る半径距離で、この／これらの１つ又は複数のノッチの隣に円周上にオフセットして、この外側スリーブ上に配置されることである。
【００１９】
本発明の他の一実施形態では、ノッチがこの外側スリーブの全ての又は幾つかのコーナー、又は、如何なる他の面上にも存在することが意図され、そうして、本発明では、スライドウェイ及び／又はラッチウェイがコーナーサイド上に配置されることは問題ではない。これらは長手方向で（プッシュ又はプル方向）如何なる他の面上に配置されてもよく、外側スリーブと内側スリーブの両方の上に整列される。
【００２０】
加えて、本解決法では全部で一つだけのスライドウェイが存在することは本質ではない。そうしたスライドウェイは四角形のボディの場合、各コーナーに配置することができる。しかし、それらは長手方向に伸びるボディのコーナーに関して、ラッチノッチ（又は、一般的に：ラッチウェイ）の左右に配置されてもよく、そうして、２つのスライドウェイは相互に或る距離で各コーナーに配置され、周囲方向に互いにオフセットしている。
【００２１】
付随的に、本発明はパッケージングスリーブとして四角形のボディに制限されない。如何なる多角形のボディが使用されてもよく、例えば、三角形、四角形、五角形、六角形、八角形、十二角形、又は、対称的な多角形のボディでもよく、又は、同様な形状をした非対称パッケージングボディでもよい。丸いボディが上述の特性を特徴付けるのであれば、丸いボディが使用されてもよい。
【００２２】
本発明は１つ又は複数のサイドウェイがラッチウェイと反対のスリーブの部分に配置されるという知見に基づき、それは、ツイスト及びプッシュ、又は、プル移動を用いて、反対の中空体の中へ、ラッチウェイのラッチノッチのほとんど力のかからないスライディングを可能にする。従って、中空体の間の僅かな移動の力がオープン又はクローズ位置で与えられ、２つの中空体はツイストされるとき変形される必要がない。
【００２３】
２つの中空体がパッケージングの長さの如何なるラッチ位置に対して僅かに結合してもよく、一方の中空体は他方の中空体に関してツイストされ、そしてロックされる。
【００２４】
本発明は内側スリーブに配置されている唯一又は２つのコーナーサイドラッチウェイに限定されない。単独のラッチウェイに代わって、対角線の反対側のコーナーサイドラッチウェイが供給されてもよい。そうしたラッチウェイは四角形のボディの場合に各ボディエッジに供給されてもよい。
【００２５】
しかし、ラッチウェイがコーナー領域に配置されることは一般的な目的の解決策にとっては本質的なことではない。それらは、スリーブボディの如何なる他の面に配置されてもよく、それ故、コーナーサイドに供給されることは本解決策にとっては本質的ではない。
【００２６】
或る特定の弾性抵抗が、ラッチウェイからスライドウェイへの変位において、円周方向に克服されるべきであることが望ましい。この抵抗は、２つの部分をツイストする間、有利に顕著である。この目的のため、本発明によって、一方のスリーブ部分のスライドウェイとラッチウェイの間の移行領域で、半径方向内側に突き出た変形エッジが供給され、他方の部分に取り付けられたラッチウェイをラッチ位置から旋回するとき、この変形エッジをスキムし、それを僅かに変形して、２つの部分がオープン位置からクローズ位置へツイストされるとき、そうした顕著な抵抗が可能になり、逆も同様である。
【００２７】
そうした変形エッジを供給することは、本解決策にとって好ましいが、本質ではない。その変形エッジが取り除かれる場合、解除位置（オープン位置）からの大きなトルクなしで２つのボディはラッチ位置で係合することができ、逆も同様である。
【００２８】
長手方向に続く変形エッジで他の変形手段が使用されてもよく、例えば、或るスリーブ部分で成型されたリップや、成型されたノブ、互いに反対に配置された２つのスリーブ部分がツイストされ、ツイストの特定の捩れ圧力に対抗するとき、柔軟に変形する。
【００２９】
一方の部分に配置されたラッチノッチは循環式に他方の部分にラッチウェイの領域に取り付けられたラッチノッチへ旋回するので、２つの部分を互いに半径方向移動する間、この移動の領域にノブタブや同様の変形可能なエラストマー体を供給することも可能であり、そのエラストマー体は旋回の間、又は、２つの部分の互いの相対移動の間に変形する。
【００３０】
本発明の特徴により、外側スリーブの柔軟性にもはや依存しないという利点が初めてもたらされる。従って、内側及び外側スリーブは非常に硬く曲げに抵抗力を有する材料で作成することができる。これは、本発明のパッケージングにより非常に重い対象物がパックされることもできるという効果をもたらし、たとえロック位置にあっても、その重さのため、一緒にロックされた中空体を開放する位置にはもうない。それ故、そうしたパッケージングは高ショックと衝撃に耐えることができ、連結された中空体が誤って外れることになるという危険もない。
【００３１】
にもかかわらず、２つの中空体の相互に対する僅かな回転能力が確保され、その２つのパッケージングボディは相互に対して僅かにツイストされることができ、パッケージングを開放し、又は、パッケージング長を選択することができる。
【００３２】
本発明の目的は個々の請求項の主題からのみ生じるのではなく、個々の請求項の相互間の組合せからも生じる。
【００３３】
要約書に開示された詳細及び特徴を含む本明細書の全て、特に図面に示された空間的デザインは、それらが先行技術に対して個々に又は組み合わさって新規である限り本発明にとって本質として請求される。
【００３４】
本発明は唯一の実施形態を示す図面によって以下により詳細に説明される。本発明にとって本質的である本発明の追加的特徴や利点は、これによって図面及びその説明から明らかになる。
【図面の簡単な説明】
【００３５】
【図１】図１は遠近法によって本発明の第１実施形態を示す。
【図２】図２はスライディング位置での２つのスリーブ部分の連結の拡大図を示す。
【図３】図３はロック位置での図２と同じ拡大図を示す。
【図４】図４はロック位置での２つの連結部を通る長手方向の断面図を示す。
【図５】図５はオープン位置での図４と同じ断面図を示す。
【図６】図６はロック位置での２つの連結部の正面図を示す。
【図７】図７は、図６のロック位置から図８のオープン位置への移行の間、２つの部分の間の中間位置を示す。
【図８】図８は、２つの連結部の間のオープン位置を示す。
【図９】図９は、単一の内側スリーブの図により、ロック位置での２つの連結部の図を示す。
【図１０】図１０は、単一の外側スリーブの図により、２つの連結部のオープン位置を示す。
【図１１】図１１は、図９に対する変形であって、ロック位置での外側スリーブと内側スリーブの断面形状に係る一実施形態を示す。
【図１２】図１２は、オープン位置での図１１と同じ断面図を示す。
【図１３】図１３は、図１１に対する変形であって、ロック位置での一実施形態を示す。
【図１４】図１４は、オープン位置での図１３と同じ断面図を示す。
【図１５】図１５は、ロック位置での多角形ボディの図を示す。
【図１６】図１６は、オープン位置での図１５と同じ図を示す。
【発明を実施するための形態】
【００３６】
図１には、外側スリーブ２と内側スリーブ３とを有するパッケージング容器１が図示されている。
【００３７】
‘外側スリーブ’及び‘内側スリーブ’の用語は例示としてのみ理解されるべきである。それらは２つの部分の現在の機能について言及するだけであり、それは図面に示されている。そうした用語は明細書や特許請求の範囲においても置換することができ、本発明に対しては制限的ではない。
【００３８】
また、図１は内側スリーブ３を示し、正面で減少した直径を有する通路４を特徴付けるが、しかし、これは本解決策には本質ではない。内側スリーブ３の背面部は完全に除去することもでき、そして、通路４は内側スリーブの長さ全体にわたって底面で背部まで伸びることができ、底面領域の中で閉じている。
【００３９】
図示されていないが、２つ又は３つのハンドルコネクタが外側スリーブと内側スリーブの底面上に配置されてもよく、取手として手で握ることができ、そうして、２つの部分を一緒にスライドでき、又は、それらを相互にツイストすることができる。
【００４０】
初めに述べたように外側スリーブ２は、柔軟な変形にはもはや依存せず、そして、重く変形可能な材料で作成することができ、例えば、壁の厚いプラスチック、金属シート、又は類似するもので作成することができ、従って、これは内側スリーブの材料にも適用される。
【００４１】
内側スリーブが如何なる場合でも内側スリーブの壁部の壁変形に依存しないが、配置されるラッチノッチ５の柔軟な変形にだけ依存するとき、そのラッチノッチはコーナーサイド上に配置されたノッチの１つ以上の列６の領域内に配置される。
【００４２】
一般的な説明の中で既に述べたように、図面に従った実施形態は一例としてのみ理解されるべきである。というのも、図１に従った実施形態はノッチ列６，７とともにラッチノッチ５が内側スリーブ３のコーナーで互いに正反対にそれぞれ配置されることを示しているからである。しかしながら、これは本発明を制限するものとして理解するべきではない。ノッチの列６，７は、内側スリーブ３のコーナーの外側で表面上の他に何処にでも配置されることができる。
【００４３】
個々の部分の配置を、外側スリーブ２と内側スリーブ３との近接性に関して良好に区別するため、組み合わされた参照符号が以下の説明では用いられ、各参照符号は或るハイフンと或る基礎番号２又は３とを特徴づける。ハイフンと数字２は、この部分が外側スリーブ２に属することを意味し、ハイフンと数字３はこの部分が内側スリーブ３に属することを意味する。
【００４４】
外側スリーブ２は四角形のスリーブボディとして内側スリーブ３の反対に供給される。その実施形態では、ラッチノッチ８が外側スリーブの全４つのコーナーに配置される。
【００４５】
しかし、本願発明の機能にとっては、単一のラッチノッチ８だけを供給することで充分である。しかし、複数の連続したラッチノッチ８が供給されてもよい。この例では、ラッチノッチ８は、ノッチのコーナーサイドの列９、１０、１１、１２のそれぞれを形成する。
【００４６】
ここでは、本発明は、四面の外側スリーブ２の４つのコーナーにノッチ列９−１２を有する配置に限定されない。ノッチ列９−１２は二つだけに供給されてもよく、そして、この例では互いに正反対に供給されてもよい。また、エッジのサイド或いは外側スリーブ２の表面のどこかにプッシュ方向に単一のノッチ列を配置することも充分である。
【００４７】
一方の中空体上には−内側スリーブ３上に示される実施形態において−ラッチノッチ５が配置され、ノッチの各列６によりラッチウェイ１３−３を形成する。ラッチウェイ１３−３は順に互いに規則的なインターバルで個々のラッチノッチ５を含む。
【００４８】
このラッチノッチ１３−３と反対に整列して、即ち、外側スリーブ２、上述のラッチノッチ８、又は、ノッチ列９−１２の形態の複数のラッチノッチは反対部分上に配置される。
【００４９】
少なくとも１つのスライドウェイ１４−２は或る半径方向距離に配置され、即ち外周の周りにオフセットしており、１つ又は複数のノッチ列９−１２に近接した或る距離に配置される。これは図２に示される。
【００５０】
２つのスリーブ２，３が一緒に挿入されて、内側スリーブ３のラッチウェイが外側スリーブ２の領域内でスライドウェイ１４−２と係合するようになると、スライドウェイは隙間を表し、従って、その２つの部分はほとんど力を使用せずに互いの中に移動させることができる。
【００５１】
それは外側スリーブ２の長手方向に伸びるハーフオープンの溝として設計され、その閉じた溝ベースは半径方向外向きに整列している。従って、外側スリーブ２の内面に対してオープンである。スライドウェイ１４−２の長さは、内側と外側のスリーブ２、３の間の所望の移動長さに相当する。それはＵ字形状又は台形の溝として設計されるのが望ましい。溝の輪郭はノッチ５（又は、複数のノッチ５から形成されるノッチ列）の輪郭に対応し、このスライドウェイ１４−２において移動可能であり、ノッチ５がこの輪郭形状のスライドウェイ１４−２の中で容易に移動できるように選択されるが、その移動中、溝のサイドに沿って反対に案内される。
【００５２】
図３に従ってラッチするため、２つの中空体２，３は回転方向に長手軸の角度で互いの方向に向かって再びツイストされ、そうして、長さの如何なる調整においても、ラッチウェイ１３’の領域でラッチノッチ５は、反対部分の上に配置されたラッチノッチ８に合致し、そのラッチノッチはラッチウェイ１３−２の領域内に配置される。その結果、特別頑丈なラッチング連結が実現され、ラッチノッチ５のバルブ形状（ｂａｒｂ  ｆｏｒｍ）によって中空体２、３と反対のラッチノッチとの間の高いプッシュアウト力にも耐えることができる。
【００５３】
図１は変形実施形態を示し、追加のスライドウェイ１５−２がスライドウェイ１４−２の反対にラッチウェイ１３−２に関して他方側に配置されており、そうして、例えば、両方が外側スリーブから内側スリーブ２、３への時計方向にラッチウェイをツイストする間、例えば、スライドウェイ１４−２に係合し、反対方向にツイストする間、内側スリーブ３のラッチウェイ１３’はスライドウェイ１５−２の移動領域に到達する。
【００５４】
それ故、この第２実施形態では、長手方向に２つのスライドウェイが存在し、内側スリーブ上に配置されるラッチウェイ１３−２の両側上に配置される。
【００５５】
図２と３は図１に従った詳細の拡大図を示す。図２には、例えば、内側スリーブ３が固定された外側スリーブ２に対向して矢印１６の方向に移動することが明らかであり、そして、図示の移動位置においては、ラッチウェイ１３−３を形成するラッチノッチ５が外側スリーブ２上でスライドウェイ１４−２の領域に到達し、それ故その２つの部分が矢印１６の方向及びその反対方向に互いに対して容易に移動可能であることが明らかである。
【００５６】
図２の移動位置から図３のラッチ位置へ至るため、例えば、内側スリーブ３は固定された外側スリーブに関して矢印１７の方向にツイストされることが意図され、その結果、２つのスリーブ２，３の間で調整された長さ調整の夫々のラッチノッチ５は外側スリーブ２上の如何なるラッチノッチ８とも係合する。このようにして、２つのスリーブ部分の間の如何なる長さの変化もロックすることができる。
【００５７】
図３に基づいて、オープン位置を再び実現するため、内側スリーブ３は固定の外側スリーブ２に関して―矢印１７の方向と反対に―矢印１８の方向にツイストされる。
【００５８】
また、本発明は高い移動圧力を克服することにより、―相互にツイストすることなく―ロック位置において２つの部分が互いに対してロックされ得ることを可能にする。これはより以前の特許であるＤＥ３３２５０３３Ｃ２の主題であった。この機会は本願発明においても供給される。
【００５９】
図４と５は、ロック位置と（図４）、オープン位置と（図５）の２つの中空体の部分図を示す。明らかなように、内側スリーブ３の領域内のラッチノッチ５は、外側スリーブ２のラッチウェイ１３−２の割り当てられたラッチノッチ８と係合することができる。
【００６０】
しかし、―図４のロック位置に基づいて―それが矢印１８の方向にツイストされる場合、その２つのノッチは外れて、そして、内側スリーブ３上のラッチノッチ５は外側スリーブ２の領域のスライドウェイ１４−２に係合し、その外側スリーブは片面がオープンな対称な中空の輪郭溝として設計され、その結果、その２つの部分は矢印１６の方向とその反対方向に互いに対して自由に移動でき、そして、如何なる任意の移動位置でも互いにロックされることができる。
【００６１】
図６は２つのスリーブ部分２，３のラッチングを示している。内側スリーブ３の領域のラッチウェイ１３−３は外側スリーブ２の領域におけるラッチウェイ１３−２と連結する。また、スライドウェイ１４−２は周囲方向に横たわる。変形エッジ２９はラッチウェイ１３−２とスライドウェイ１４−２との間の外側スリーブ２に配置される。その変形エッジ２９は半径方向内側に整列され、そして、例えば、外側スリーブ２の全体の長さにわたって伸びることができ、従って、スライトウェイ１４−２とちょうど同じ長さである。しかし、その変形エッジ２９は、１つ又は複数のノブの形態で、一つ一つ供給されるだけである。セグメントが存在してもよく、又は、柔軟なリップであり、それは部分的に又は全体的に外側スリーブ２の長さにわたって整列して伸び、半径方向内側に整列する。
【００６２】
それは図６の移行において、図８に従ったオープン位置へ旋回する場合、このことは図７に従った矢印１８の方向に発生する。そこには中間位置が図示されている。明らかなことに、内側スリーブ３上のラッチウェイ１３−３は、位置２９’において僅かに外側に変形エッジ２９を柔軟に変形し、このため、矢印１８の方向に２つの部分を相互にツイストする間にトルクが生じ、そうして、ロック位置と移動位置との間に或る特定の顕著なトルクを可能にする。しかし、本発明は、そうした変形エッジ２９と、回転に対する力の成分の生成とを放棄してもよい。
【００６３】
重要な点は、互いに対してツイストすることができる部分の間に隙間２３が存在することである。即ち、隙間２３は内側スリーブの外側と外側スリーブ２の内側との間に供給される。その隙間２３は、次の図９−１６を用いて説明されるように、内側及び外側スリーブ２，３の異なる形状によって定義される。
【００６４】
中間位置と変形エッジ２９の如何なる柔軟な変形とを克服した後、その変形エッジは外側スリーブ２上に配置され、ラッチウェイ１３−３は外側スリーブ２のスライドウェイ１４−２の形状範囲において内側スリーブ３に到達し、そうして、その２つの部分は互いに対して自由に移動することができる。それらは、矢印１７の方向に（図６）ツイストすることにより任意の移動位置でロックされてもよい。
【００６５】
従って、２つのスリーブ部分２，３の間の力のかからないツイストに必要な隙間２３は、内側スリーブ３のプロファイル形態が外側スリーブ２に対向して内側に移動するように形成されてはならない。他の実施形態では―図面には示されないが―内側スリーブ３は直線の輪郭を特徴づけ、そして、外側スリーブ２は球根状に外側に整列し、その結果、この場合には、２つのスリーブ部分２、３の自由なツイストが可能になる。
【００６６】
しかし、図９−１６は、次の図面で説明されるように、内側スリーブ３の形状が外側スリーブ２の形状と異なることを示している。
【００６７】
図９と１０は真っ直ぐな形状の外側スリーブ２と比較して、内側スリーブ３の隆線型の形状を示す。その隆線型は、内側スリーブ３の形状の上で互いにある角度で配置される２つの直線１９、２０によって実現され、そこでは、直線が壁の略中央で頂点２１の領域において或る角度２２で交差する。
【００６８】
対照的に、図１０で示される外側スリーブ２の形状の壁形状は、真っ直ぐな壁を特徴づけ、そして、図９と１０（ロック位置及びオープン位置）から明らかなように、２つの部分がツイストするとき、内側スリーブの内壁と外壁との間には常に隙間が存在し、外側スリーブ２の壁の柔軟な変形なしで、２つの部分の力のかからないツイストを可能にする。従って、外側スリーブ２は真っ直ぐな壁２４を有する。
【００６９】
対照的に、内側スリーブ３のカーブ２６が割り当てられ、そして、追加的ではあるが異なるように丸みを帯びたカーブ２５が外側スリーブ２に割り当てられるので、図１１と１２は球根状の側壁を特徴づけることを示す。
【００７０】
それ故、２つの異なる丸みを帯びたカーブ２５、２６が存在し、それらは互いの中に挿入され、互いに向かってツイストされ、そうして、２つの部分の相互ツイストによって、２つの形状の間に隙間２３が生じる。
【００７１】
これは図１３と１４によって表され、その図はロック位置とオープン位置とを夫々示している。ここでは、図９でも示したように、内側スリーブ３が隆線形を再び特徴付けることが明らかである。ここでは、傾斜形態２７が完全に対称的に設計されるが、図９では非対称的であった。
【００７２】
形状において完全に対称的な傾斜形態２７は、外側スリーブ２に関して、左への矢印１７の方向と、右への矢印の方向との両方に、内側スリーブ３が夫々をロック位置とオープン位置との中に持ち込むことを可能にする。というのも、図１に従った第２の実施形態では、スライドウェイ１４−２に加えて、他のスライドウェイ１５−２がラッチウェイ１３−２に対称的に配置されるからである。
【００７３】
図１４では、外側スリーブ２は直線形状２８を有することが明らかであり、それは図１０の直線形状２４に概ね対応する。
【００７４】
図１５と１６は複数の多角形ボディが説明された方法で連結されてもよいことを示している。内側スリーブ３は周囲上に配置された均一に分配された複数のラッチウェイ１３−３を有し、反対に、外側スリーブ２は周囲上に分配された複数のスライドウェイ１４−２とラッチウェイ１３−２とを有しそれらは相互に異なる。
【００７５】
このようにして、この複数の多角形ボディの２つの内側及び外側スリーブ２、３の複数のロッキングは図１５と１６に従って供給される。
【００７６】
付随的に、本発明は、一つの端面でクローズであり、反対の端面でオープンな２つの中空体に限定されない。これは可能な実施形態のうちのほんの１つにすぎない。
【００７７】
別の実施形態では、単一の中空体が存在し、その中空体の２つの対向する端面は取り除かれて、そうして連続するスリーブとして設計され、２つの端面上に本発明に従ったラッチウェイとサイドウェイが設計されることが意図される。２つのオープンな端面の夫々には、反対の中空体が案内されることができ、本発明によるツイスト＆プッシュ移動により固定され、そこに配置されたラッチウェイとスライドウェイに係合するので、そうした中空体はコネクションアダプタと呼ばれる。そして、導入される反対の中空体は一方の端面でクローズであり、他方の端面でオープンであり、即ち、端面上でそれはコネクションアダプタの中に導入される。
【００７８】
コネクションアダプタの他方側から、中空体は導入され固定されてもよく、その中空体は同一又は異なった形状であり、又は、異なる長さが備わり、反対の端面は閉じている。こうして、等しい長さの、又は、異なる長さの中空体が、コネクションアダプタの両方の対向するオープンな端面に導入され固定されてもよく、その結果、全体で３つの部分のスライディングパッケージングがもたらされ、それはとても長いかもしれない、というのも、その長さは、夫々の側からコネクションアダプタの中に導入されるべき中空体の長さによって定義されるからである。
【００７９】
コネクションアダプタは、そのオープンな端面上に特定の複数エッジの形状が形成され、同様の形状を有する中空体にロックされるように設計されてもよいが、コネクションアダプタの反対のオープンな端面上には、別の形状が形成され、この別の形状を有する割り当てられた中空体にロックされることができる。こうして、異なる長さの中空体が一緒にコネクションアダプタにロックされるだけでなく、異なる形状を有する中空体もロックされる。
【００８０】
コネクションアダプタにロックされるべき中空体の場合には、各外側端面が取り除かれると、任意の長さとプロファイル形態の片側又は両側のオープンチューブがコネクションアダプタ及び中空体により形成され、端面上で夫々オープンであり、それにロックされる。
【符号の説明】
【００８１】
１  パッケージング容器
２  外側スリーブ（中空体）
３  内側スリーブ（中空体）
４  ショルダー
５  ラッチノッチ
６  ノッチ列（３の）
７  ノッチ列（３の）
８  ラッチノッチ（２の）
９  ノッチ列（２の）
１０  ノッチ列
１１  ノッチ列
１２  ノッチ列
１３  ラッチノッチ  １３−２、１３−３
１４  スライドウェイ  １４−２
１５  スライドウェイ  １５−２
１６  矢印方向
１７  矢印方向（クローズ）
１８  矢印方向（オープン）
１９  直線（３の）
２０  直線（３の）
２１  頂点（３の）
２２  角度（３の）
２３  隙間
２４  ストレートな壁（２の）
２５  カーブ（２の）
２６  カーブ（２の）
２７  傾斜形態（３の）
２８  ストレート形状（２の）
２９  変形エッジ２９’
【図１】
0005705914.tif 000002
【図２】
0005705914.tif 000003
【図３】
0005705914.tif 000004
【図４】
0005705914.tif 000005
【図５】
0005705914.tif 000006
【図６】
0005705914.tif 000007
【図７】
0005705914.tif 000008
【図８】
0005705914.tif 000009
【図９】
0005705914.tif 000010
【図１０】
0005705914.tif 000011
【図１１】
0005705914.tif 000012
【図１２】
0005705914.tif 000013
【図１３】
0005705914.tif 000014
【図１４】
0005705914.tif 000015
【図１５】
0005705914.tif 000016
【図１６】
0005705914.tif 000017